(57)【要約】【課題】直列に連結された複数のリンクを捩ることが可能なチェーンを提供する。【解決手段】チェーン１１は、直列に配置され、直列方向Ｘの一方側に一対の円形の孔１７を有するとともに他方側に一対の長孔２０を有する複数のリンク１２と、直列方向Ｘで隣り合う２つのリンク１２のうちの一方のリンク１２の一対の孔１７及び他方のリンク１２の一対の長孔２０に挿通することで、隣り合う２つのリンク１２同士を回動可能に連結するピン２２とを備える。そして、一対の長孔２０は、直列方向Ｘと直交する方向に延びている。【選択図】図１
2015218026.tif 000002
【特許請求の範囲】
【請求項１】
直列に配置され、直列方向の一方側に円形の孔を有するとともに他方側に長孔を有する複数のリンクと、
前記直列方向で隣り合う２つの前記リンクのうちの一方の前記リンクの前記孔及び他方の前記リンクの前記長孔に挿通することで、前記隣り合う２つの前記リンクを回動可能に連結するピンと
を備え、
前記長孔は、前記直列方向と交差する方向に延びていることを特徴とするチェーン。
【請求項２】
前記各リンクにおいて、前記長孔は前記孔の軸線方向に沿って延びていることを特徴とする請求項１に記載のチェーン。
【請求項３】
前記複数のリンクのうちの少なくとも一つには、物品を支持可能な支持部が設けられていることを特徴とする請求項１または請求項２に記載のチェーン。
【発明の詳細な説明】
【技術分野】
【０００１】
本発明は、例えば物品の搬送等に使用されるチェーンに関する。
【背景技術】
【０００２】
従来、この種のチェーンとしては、搬送物（物品）が載置されるトッププレート（支持部）を有する複数のリンクを連結ピンで回動可能に直列に連結した搬送用チェーンが知られている（例えば、特許文献１）。このような搬送用チェーンにおける各リンクは、頭部にピン用長孔（長孔）が設けられ、二股に分かれた脚部にピン孔（孔）がそれぞれ設けられた構成になっている。
【０００３】
そして、複数のリンクの直列方向で隣り合う２つのリンクのうちの一方のリンクの頭部を他方のリンクの脚部間に挿入した状態で一方のリンクのピン用長孔及び他方のリンクのピン孔に連結ピンを挿通することで、直列方向で隣り合う２つのリンク同士を回動可能に連結している。こうした搬送用チェーンは、例えばトッププレート上に載置された搬送物を搬送中に傾けたい場合、直列に連結された複数のリンクを捩る必要がある。
【先行技術文献】
【特許文献】
【０００４】
【特許文献１】特開２００３−１２８２２１号公報
【発明の概要】
【発明が解決しようとする課題】
【０００５】
しかしながら、上述した特許文献１のような搬送用チェーンでは、各リンクの頭部に設けられたピン用長孔が複数のリンクの直列方向に沿って延びているため、ピン用長孔の長さ分だけ左右方向に回動（屈曲）させることはできるものの、直列に連結された複数のリンクを捩ることができないという問題がある。
【０００６】
本発明は、このような従来技術に存在する問題点に着目してなされたものである。その目的とするところは、直列に連結された複数のリンクを捩ることが可能なチェーンを提供することにある。
【課題を解決するための手段】
【０００７】
以下、上記課題を解決するための手段及びその作用効果について記載する。
上記課題を解決するチェーンは、直列に配置され、直列方向の一方側に円形の孔を有するとともに他方側に長孔を有する複数のリンクと、前記直列方向で隣り合う２つの前記リンクのうちの一方の前記リンクの前記孔及び他方の前記リンクの前記長孔に挿通することで、前記隣り合う２つの前記リンクを回動可能に連結するピンとを備え、前記長孔は、前記直列方向と交差する方向に延びている。
【０００８】
この構成によれば、ピンが長孔の長さ分の範囲で移動可能であるため、直列方向で隣り合う２つのリンク同士間で長孔の長さ分だけ回動させることができる。したがって、直列に連結された複数のリンクを捩ることが可能となる。
【０００９】
上記チェーンは、前記各リンクにおいて、前記長孔が前記孔の軸線方向に沿って延びていることが好ましい。
この構成によれば、直列方向で隣り合う２つのピンの延びる方向が異なるため、これら２つのピンのうちの一方のピンを中心として回動するリンクと他方のピンを中心として回動するリンクとが直列方向において交互に配置されるようになる。したがって、複数のリンクを互いに異なる２方向に屈曲させることが可能となる。
【００１０】
上記チェーンにおいて、前記複数のリンクのうちの少なくとも一つには、物品を支持可能な支持部が設けられていることが好ましい。
この構成によれば、支持部に物品を支持させることで、物品を搬送するコンベヤチェーンとして使用することが可能となる。
【発明の効果】
【００１１】
本発明によれば、直列に連結された複数のリンクを捩ることができる。
【図面の簡単な説明】
【００１２】
【図１】第１実施形態のチェーンの一部を示す斜視図。
【図２】図１のＡ−Ａ線断面図。
【図３】図１のＢ−Ｂ線断面図。
【図４】図１のチェーンを反対側から見たときの斜視図。
【図５】第１実施形態のチェーンのピボットの斜視図。
【図６】第１実施形態のチェーンとスプロケットとの噛合状態を示す断面図。
【図７】第１実施形態のチェーンを捩ったときの状態を示す斜視図。
【図８】第１実施形態のチェーンにスラットを設けてコンベヤチェーンとしたときの状態を示す斜視図。
【図９】図８のコンベヤチェーンを捩ったときの状態を示す斜視図。
【図１０】第２実施形態のチェーンの一部を示す斜視図。
【図１１】図１０のＣ−Ｃ線断面図。
【図１２】図１０のＤ−Ｄ線断面図。
【図１３】第２実施形態のチェーンとスプロケットとの噛合状態を示す断面図。
【図１４】第２実施形態のチェーンを捩ったときの状態を示す斜視図。
【図１５】第２実施形態のチェーンにスラットを設けてコンベヤチェーンとしたときの状態を示す斜視図。
【図１６】図１５のコンベヤチェーンを捩ったときの状態を示す斜視図。
【図１７】変更例のコンベヤチェーンの斜視図。
【図１８】図１７のコンベヤチェーンがバックベンドしたときの状態を示す斜視図。
【図１９】変更例のコンベヤチェーンの斜視図。
【図２０】図１９のコンベヤチェーンを捩ったときの状態を示す斜視図。
【発明を実施するための形態】
【００１３】
（第１実施形態）
以下、チェーンの第１実施形態を図面に従って説明する。
図１に示すように、チェーン１１は、合成樹脂によって構成されるとともに、直列方向Ｘに沿って直列に連結された複数のリンク１２を備えている。各リンク１２は、第１連結部１３と、第１連結部１３と一体に形成された第２連結部１４とを備えている。各リンク１２における第１連結部１３と第２連結部１４とは直列方向Ｘに並んで配置されている。そして、各リンク１２において、第１連結部１３は直列方向Ｘの一方側に配置され、第２連結部１４は直列方向Ｘの他方側に配置されている。
【００１４】
各リンク１２の第１連結部１３は、直列方向Ｘと直交する幅方向Ｙで対向する一対の側板１５と、一対の側板１５における第２連結部１４側の端部である基端部同士を連結する連結板１６とを備えている。一対の側板１５における第２連結部１４側の端部とは反対側の端部である先端部には、幅方向Ｙに延びる軸線を有する円形の孔１７がそれぞれ貫通するように形成されている。
【００１５】
この場合、一対の側板１５の孔１７同士は、幅方向Ｙにおいて互いに対向している。したがって、一対の側板１５の孔１７同士が対向する対向方向は、幅方向Ｙと一致している。なお、本実施形態では、直列方向Ｘ及び幅方向Ｙの双方と直交する方向がチェーン１１の厚さ方向Ｚとされている。
【００１６】
図２及び図４に示すように、連結板１６には、チェーン１１の厚さ方向Ｚにおける一方側である裏側（チェーン１１におけるスプロケット２５（図６参照）と係合する側）の端部から中央部まで連結板１６を切り欠いてなる第１開口部１８が形成されている。第１開口部１８は、連結板１６の中央部に位置する円形部分１８ａと、中央部から裏側の端部にかけての部分に位置する矩形部分１８ｂとを有している。
【００１７】
各リンク１２の第２連結部１４は第１連結部１３側が開口した略有底円筒状をなしており、当該開口の形状は第１開口部１８の円形部分１８ａと形状が同じになっている。そして、各リンク１２の第２連結部１４は、その開口が直列方向Ｘにおいて第１開口部１８の円形部分１８ａと連続するように、第１連結部１３の連結板１６と一体に形成されている。各リンク１２の第２連結部１４は、第１連結部１３の連結板１６よりも幅方向Ｙの幅が狭くなっている。
【００１８】
各リンク１２の第２連結部１４における裏側には、第２連結部１４を切り欠いてなる第２開口部１９が形成されている。第２開口部１９は、矩形状をなしており、第２連結部１４における直列方向Ｘの中央部から第１開口部１８の矩形部分１８ｂまで延びている。すなわち、各リンク１２の第２開口部１９は、直列方向Ｘにおいて第１開口部１８の矩形部分１８ｂと連続している。各リンク１２の第２連結部１４における幅方向Ｙの両側には、厚さ方向Ｚに延びる長孔２０がそれぞれ貫通するように形成されている。
【００１９】
各長孔２０は、第２連結部１４における直列方向Ｘの中央部に位置している。そして、各リンク１２の第２連結部１４の長孔２０同士は、幅方向Ｙにおいて互いに対向している。したがって、本実施形態では、各リンク１２の第２連結部１４の長孔２０同士の対向方向と、各リンク１２の第１連結部１３の一対の側板１５の孔１７同士の対向方向とが一致している。なお、第２連結部１４内には、ピボット２１が遊びのある状態で収容されている。
【００２０】
図４及び図５に示すように、ピボット２１は、略円柱状をなしており、直列方向Ｘの約半分が厚さ方向Ｚにおいて第２開口部１９と重なっている。ピボット２１は、直列方向Ｘにおける第１連結部１３側が曲面状になっており、直列方向Ｘにおける第２連結部１４の内底面側が平面状になっている。ピボット２１における直列方向Ｘの中央部には、幅方向Ｙに延びる貫通孔２１ａが形成されている。
【００２１】
図３及び図４に示すように、直列方向Ｘで隣り合う２つのリンク１２のうちの一方のリンク１２の第２連結部１４は、他方のリンク１２の第１連結部１３の一対の側板１５間に挿入されている。この場合、一方のリンク１２の第２連結部１４の各長孔２０、当該第２連結部１４内のピボット２１の貫通孔２１ａ、及び他方のリンク１２の第１連結部１３の一対の側板１５のそれぞれの孔１７は、幅方向Ｙにおいて重なった状態になっている。
【００２２】
この状態で、一方のリンク１２の第２連結部１４の各長孔２０、当該第２連結部１４内のピボット２１の貫通孔２１ａ、及び他方のリンク１２の第１連結部１３の一対の側板１５のそれぞれの孔１７に丸棒状のピン２２を挿通することで、直列方向Ｘで隣り合う２つのリンク１２がピン２２を回動中心として回動可能に連結されている。
【００２３】
すなわち、各リンク１２は、第１連結部１３がピン２２により直列方向Ｘの一方側で隣り合う別のリンク１２の第２連結部１４と回動可能に連結され、第２連結部１４がピン２２により直列方向Ｘの他方側で隣り合う別のリンク１２の第１連結部１３と回動可能に連結されている。なお、ピン２２は、各リンク１２の第２連結部１４の各長孔２０に対して摺動可能に挿通されている。すなわち、ピン２２は、各長孔２０の長さの範囲内で、各長孔２０内を摺動可能とされている。
【００２４】
また、図６に示すように、チェーン１１は、その裏側における各リンク１２の第２連結部１４の第２開口部１９から第２連結部１４内にスプロケット２５の各歯部２５ａが順次に挿入されることで、スプロケット２５と噛合する。そして、スプロケット２５が回転することで、チェーン１１が移動する。
【００２５】
次に、チェーン１１の作用について説明する。
チェーン１１は、各リンク１２の第２連結部１４の長孔２０が直列方向Ｘと直交する方向である厚さ方向Ｚに延びているため、各ピン２２を各長孔２０に沿って摺動させることで、図７に示すように、各リンク１２が直列方向Ｘに延びる中心軸線を中心として相対的に回動される。すなわち、チェーン１１の各リンク１２は、各長孔２０内におけるピン２２の摺動範囲分（各長孔２０の長さ分）だけ捩ることができる。
【００２６】
このように構成されたチェーン１１は、例えば図８に示すように、各リンク１２の表側に物品Ｍを支持可能な支持面２６ａを有する支持部の一例としてのスラット２６を設けることで、支持面２６ａ上に載置される物品Ｍを搬送する、いわゆるコンベヤチェーン３０として使用される。このスラット２６は、幅方向Ｙに長い矩形板状をなしている。
【００２７】
そして、図８に示すように、コンベヤチェーン３０によって例えばボトル形状の物品Ｍを搬送する場合には、各スラット２６の支持面２６ａ上に物品Ｍを載置した状態でスプロケット２５（図６参照）を回転駆動することでコンベヤチェーン３０を移動させる。このとき、コンベヤチェーン３０の移動経路の一部をコンベヤチェーン３０が捩れるように構成しておけば、コンベヤチェーン３０が捩れることで、図９に示すように、各スラット２６が幅方向Ｙに対して傾けられるので、支持面２６ａ上の物品Ｍも傾けられる。
【００２８】
この場合、直列方向Ｘで隣り合う２つのスラット２６同士は接触しない。したがって、コンベヤチェーン３０は、例えば生産ラインの一部で物品Ｍを傾けることによって物品Ｍを薬品に晒したい場合などの目的で好適に使用される。なお、直列方向Ｘで隣り合う２つのリンク１２同士がコンベヤチェーン３０の進行方向を前方向とした場合の上下方向に回動して屈曲しても、これら２つのリンク１２のスラット２６同士は接触しない。
【００２９】
以上詳述した第１実施形態によれば、次のような効果が発揮される。
（１）チェーン１１は、直列方向Ｘで隣り合う２つのリンク１２のうちの一方のリンク１２の第１連結部１３の各孔１７及び他方のリンク１２の第２連結部１４における直列方向Ｘと直交する厚さ方向Ｚに延びる長孔２０にピン２２を挿通することで、隣り合う２つのリンク１２同士を回動可能に連結している。このため、ピン２２が長孔２０の長さ分の範囲で移動可能であるため、直列方向Ｘで隣り合う２つのリンク１２同士間で長孔２０の長さ分だけ回動させることができる。したがって、チェーン１１は、直列に連結された複数のリンク１２を、一方向（チェーン１１の進行方向を前方向とした場合の上下方向）に回動（屈曲）させることができるとともに、捩ることができる。
【００３０】
（２）チェーン１１は、スラット２６を設けることで、スラット２６の支持面２６ａ上に載置される物品Ｍを搬送するコンベヤチェーン３０として使用することができる。この場合、コンベヤチェーン３０は、捩られると、スラット２６が傾くので、スラット２６の支持面２６ａ上に載置される物品Ｍを容易に傾けることができる。
【００３１】
（３）チェーン１１において、各ピン２２は各リンク１２の第２連結部１４内のピボット２１の貫通孔２１ａに挿通されているため、チェーン１１を捩ることで各ピン２２が各長孔２０内を摺動する際には第２連結部１４の内面とピボット２１の外面とが擦れ合う。このため、ピン２２と長孔２０との摺動による摩耗の一部を、第２連結部１４の内面とピボット２１の外面との擦れ合いによる摩耗によって負担することができる。加えて、第２連結部１４の内面とピボット２１の外面との接触面積はピン２２と長孔２０との接触面積に比べて大きい。したがって、ピン２２と長孔２０との摺動によるこれらの摩耗を効果的に低減することができる。また、チェーン１１を捩る際に各ピン２２とピボット２１とが同じ動きをするので、長孔２０内でのピン２２のがたつきを抑制することができる。
【００３２】
（第２実施形態）
次に、チェーンの第２実施形態を第１実施形態と異なる点を中心に図面に従って説明し、第１実施形態と共通する点については説明を省略する。また、第１実施形態と同じ部材については第１実施形態と同一の符号を付すものとする。
【００３３】
図１０〜図１２に示すように、第２実施形態のチェーン４１は、上記第１実施形態のチェーン１１において各リンク１２を各リンク４２に変更したものである。すなわち、各リンク４２は、第１実施形態の各リンク１２において、連結板１６の第１開口部１８の矩形部分１８ｂ及び第２連結部１４の第２開口部１９を省略するとともに、一対の長孔２０を一対の孔１７の対向方向（軸線方向）に沿って延びるように形成し、さらに一対の孔１７の対向方向の両側に矩形状の開口部４３を形成したものである。
【００３４】
図１０〜図１２に示すように、チェーン４１は、複数のリンク４２を複数のピン２２によってそれぞれ回動可能に直列に連結されることによって構成されている。この場合、直列方向Ｘで隣り合う２つのピン２２のうちの一方は厚さ方向Ｚに延び、他方は幅方向Ｙに延びている。すなわち、直列方向Ｘで隣り合う２つのピン２２の延びる方向は、互いに直交している。
【００３５】
したがって、チェーン４１は、一対の孔１７の対向方向が厚さ方向Ｚと一致するリンク４２と、一対の孔１７の対向方向が幅方向Ｙと一致するリンク４２とがピン２２によって直列方向Ｘに沿って交互に複数連結された構成になっている。そして、チェーン４１を構成する各リンク４２は、一対の孔１７の対向方向と、一対の長孔２０の対向方向とが直交している。
【００３６】
また、直列方向Ｘで隣り合う２つのリンク４２同士では、チェーン４１の中心軸線を中心とした回転方向における角度が９０度異なっている。したがって、直列方向Ｘで隣り合う２つのリンク４２のうちの一方のリンク４２が厚さ方向Ｚの両側に開口部４３を有する位置態様である場合には、他方のリンク４２が幅方向Ｙの両側に開口部４３を有する位置態様となる。したがって、チェーン４１は、直列方向Ｘと直交する４方向にそれぞれ複数の開口部４３を有している。
【００３７】
図１３に示すように、チェーン４１は、同一方向に向いた各開口部４３にスプロケット４４の各歯部４４ａが順次に挿入されることで、スプロケット４４と噛合する。そして、スプロケット４４が回転することで、チェーン４１が移動する。
【００３８】
次に、チェーン４１の作用について説明する。
チェーン４１は、各リンク４２の第２連結部１４の長孔２０が直列方向Ｘと直交する方向（図１０では幅方向Ｙまたは厚さ方向）に延びているため、各ピン２２を各長孔２０に沿って摺動させることで、図１４に示すように、各リンク４２が直列方向Ｘに延びる中心軸線を中心として相対的に回動される。すなわち、チェーン４１の各リンク４２は、各長孔２０内におけるピン２２の摺動範囲分（各長孔２０の長さ分）だけ捩ることができる。
【００３９】
このように構成されたチェーン４１は、例えば図１５に示すように、各リンク４２の一側部に物品Ｍを支持可能な支持面４７ａを有する支持部の一例としてのスラット４７を設けることで、支持面４７ａ上に載置される物品Ｍを搬送する、いわゆるコンベヤチェーン４８として使用される。このスラット４７は、直列方向Ｘの一端側に半円状の凸部４７ｂを有するとともに他端側に凸部４７ｂと対応する半円状の凹部４７ｃを有する平板状をなしている。この場合、直列方向Ｘで隣り合う２つのスラット４７のうちの一方の凹部４７ｃ内に他方の凸部４７ｂが収容され、これら凹部４７ｃと凸部４７ｂとの間には僅かな隙間が形成される。
【００４０】
そして、図１５に示すように、コンベヤチェーン４８によって物品Ｍを搬送する場合には、各スラット４７の支持面４７ａ上に物品Ｍを載置した状態でスプロケット４４（図１３参照）を回転駆動することでコンベヤチェーン４８を移動させる。このとき、コンベヤチェーン３０の移動経路の一部をコンベヤチェーン３０が捩れるように構成しておけば、コンベヤチェーン４８が捩れることで、図１６に示すように、各スラット４７が幅方向Ｙに対して傾けられるので、支持面４７ａ上の物品Ｍも傾けられる。
【００４１】
この場合、直列方向Ｘで隣り合う２つのスラット２６同士は接触しない。したがって、コンベヤチェーン４８は、例えば生産ラインの一部で物品Ｍを傾けることによって物品Ｍを薬品に晒したい場合などの目的で好適に使用される。なお、直列方向Ｘで隣り合う２つのリンク４２同士がコンベヤチェーン４８の進行方向を前方向とした場合の上下方向及び左右方向に回動して屈曲しても、これら２つのリンク４２のスラット４７同士は接触しない。
【００４２】
以上詳述した第２実施形態によれば、上記（１）〜（３）の効果に加えて、次のような効果が発揮される。
（４）チェーン４１の各リンク４２における一対の長孔２０は一対の孔１７の軸線方向に沿って延びているため、直列方向Ｘで隣り合う２つのピンの延びる方向同士の角度が９０度異なる。このため、これら２つのピン２２のうちの一方のピン２２を中心として回動するリンク４２と他方のピン２２を中心として回動するリンク４２とが直列方向Ｘにおいて交互に配置されるようになる。したがって、チェーン４１は、直列に連結された複数のリンク４２を、互いに直交する二方向（チェーン４１の進行方向を前方向とした場合の上下方向及び左右方向）に回動（屈曲）させることができるとともに、捩ることができる。
【００４３】
（５）チェーン４１は直列方向Ｘと直交する４方向にそれぞれ複数の開口部４３を有しているため、これら４つの方向の各開口部４３の何れに対してもスプロケット４４を噛合させることができる。すなわち、チェーン４１に対して直列方向Ｘと直交する４方向からスプロケット４４を噛合させることができる。
【００４４】
（変更例）
なお、上記各実施形態は次のように変更してもよい。
・図１７に示すように、第２実施形態のコンベヤチェーン４８において、スラット４７を平板状のスラット５０に変更してもよい。このスラット５０は、直列方向Ｘの一端側における幅方向Ｙの中央部に、直列方向Ｘに沿って突出する一対の四角棒状の突出部５１と、一対の突出部５１間に設けられて直列方向Ｘに沿って突出する略半円状の突部５２とを有するとともに、直列方向Ｘの他端側に半円状の切欠凹部５３を有している。この場合、直列方向Ｘで隣り合う２つのスラット５０のうちの一方のスラット５０の切欠凹部５３内に他方のスラット５０の突出部５１及び突部５２が切欠凹部５３の内面に接触しないように収容される。この場合、コンベヤチェーン４８の複数のリンク４２を、コンベヤチェーン４８の進行方向を前方向とした場合の上下方向及び左右方向に回動（屈曲）したり捩ったりしても、直列方向Ｘで隣り合う２つのスラット５０同士は接触しない。特に、図１８に示すように、スラット５０側が谷となるようにコンベヤチェーン４８が屈曲しても、すなわちコンベヤチェーン４８が所謂バックベンドしても、直列方向Ｘで隣り合う２つのスラット５０同士は接触しない。
【００４５】
・図１９に示すように、第２実施形態のコンベヤチェーン４８において、スラット４７を矩形板状のスラット５５に変更し、このスラット５５を直列方向Ｘに連結された複数のリンク４２に対して一つ置きに設けるようにしてもよい。この場合、コンベヤチェーン４８の複数のリンク４２を、コンベヤチェーン４８の進行方向を前方向とした場合の上下方向及び左右方向に回動（屈曲）しても、直列方向Ｘで隣り合う２つのスラット５５同士は接触しない。さらに、図２０に示すように、コンベヤチェーン４８を捩っても直列方向Ｘで隣り合う２つのスラット５５同士は接触しない。
【００４６】
・第１及び第２実施形態において、ピボット２１は省略してもよい。
・第１及び第２実施形態において、各長孔２０は、直列方向Ｘと斜めに交差する方向に延びるようにしてもよい。
【００４７】
・第１及び第２実施形態において、チェーン１１，４１は、スラット２６，４７を省略して使用するようにしてもよい。
・第１及び第２実施形態において、複数のリンク１２，４２のうちの少なくとも一つには、スラット２６，４７以外に、フックや籠などの各種のアタッチメントを取り付けるようにしてもよい。
【００４８】
・第１及び第２実施形態において、チェーン１１，４１の少なくとも一部を金属製にしてもよい。
さらに、上記各実施形態より把握できる技術的思想について以下に記載する。
【００４９】
（イ）前記各リンクは、互いに対向する一対の前記孔と、互いに対向する一対の前記長孔とを備え、前記孔同士の対向方向と前記長孔同士の対向方向とは一致していることを特徴とする請求項１に記載のチェーン。
【００５０】
（ロ）前記各リンクは、互いに対向する一対の前記孔と、互いに対向する一対の前記長孔とを備え、前記孔同士の対向方向と前記長孔同士の対向方向とは直交していることを特徴とする請求項２に記載のチェーン。
【符号の説明】
【００５１】
１１，４１…チェーン、１２，４２…リンク、１７…孔、２０…長孔、２２…ピン、２６，４７，５０，５５…支持部の一例としてのスラット、Ｍ…物品、Ｘ…直列方向。
【図１】
2015218026.tif 000003
【図２】
2015218026.tif 000004
【図３】
2015218026.tif 000005
【図４】
2015218026.tif 000006
【図５】
2015218026.tif 000007
【図６】
2015218026.tif 000008
【図７】
2015218026.tif 000009
【図８】
2015218026.tif 000010
【図９】
2015218026.tif 000011
【図１０】
2015218026.tif 000012
【図１１】
2015218026.tif 000013
【図１２】
2015218026.tif 000014
【図１３】
2015218026.tif 000015
【図１４】
2015218026.tif 000016
【図１５】
2015218026.tif 000017
【図１６】
2015218026.tif 000018
【図１７】
2015218026.tif 000019
【図１８】
2015218026.tif 000020
【図１９】
2015218026.tif 000021
【図２０】
2015218026.tif 000022